(57)【要約】【課題】先頭位置にあるカレンダー用紙を１日ごとに取り除くカレンダーにおいて、リサイクル性を良くすると共に、カレンダー用紙と枠体とを簡単に束ねること。【解決手段】複数枚のカレンダー用紙１２が重ねられたカレンダー本体１０と、カレンダー本体の頭部１０ａを覆う枠体３０と、壁等の設置箇所に吊り下げるためのひも状部材５０とを備え、先頭位置にあるカレンダー用紙を１日ごとに取り除くカレンダー１において、カレンダー本体の頭部１０ａには、カレンダー本体１０の厚さ方向に穿設された貫通孔１５が設けられており、枠体３０は、厚紙で形成されており、かつカレンダー本体に穿設された貫通孔１５に対応する位置に形成された枠体孔部３５を有し、ひも状部材５０は、貫通孔１５及び枠体孔部３５を通してカレンダー本体１０と枠体３０を束ねている構成とした。【選択図】  図２
2007196429.tif 000002
【特許請求の範囲】
【請求項１】
複数枚のカレンダー用紙が重ねられたカレンダー本体と、該カレンダー本体の頭部を覆う枠体と、壁等の設置箇所に吊り下げるためのひも状部材とを備え、先頭位置にあるカレンダー用紙を１日ごとに取り除くカレンダーであって、
前記カレンダー本体の頭部には、該カレンダー本体の厚さ方向に穿設された貫通孔が設けられており、
前記枠体は、厚紙で形成されており、かつ前記カレンダー本体に穿設された貫通孔に対応する位置に形成された枠体孔部を有し、
前記ひも状部材は、前記貫通孔及び前記枠体孔部を通して前記カレンダー本体と前記枠体を束ねていることを特徴とするカレンダー。
【請求項２】
請求項１に記載のカレンダーであって、
カレンダー用紙に印刷されたインクにマイナスイオンを発生する物質が含まれていることを特徴とするカレンダー。
【請求項３】
請求項１または２に記載のカレンダーであって、
前記ひも状部材は、前記カレンダー本体及び前記枠体から取り外し可能に配設されていることを特徴とするカレンダー。
【請求項４】
請求項１から請求項３のいずれかに記載のカレンダーであって、
前記カレンダー本体に穿設された貫通孔及び前記枠体に形成された枠体孔部は、左右方向に並列して２箇所形成されており、
前記ひも状部材は、前記貫通孔及び前記枠体孔部を通してたすき掛けされていることを特徴とするカレンダー。
【請求項５】
請求項１から請求項４のいずれかに記載のカレンダーであって、
前記枠体の上面には、該枠体の左右方向に形成された切欠部が設けられており、前記切欠部を折り曲げ線として、前記枠体を折り曲げることにより該枠体の上面が凸形状に変形可能な構成となっていることを特徴とするカレンダー。
【請求項６】
紙にインクを印刷して形成されるカレンダーであって、
前記紙または前記インクにマイナスイオンを発生する物質が含まれていることを特徴とするカレンダー。
【発明の詳細な説明】
【技術分野】
【０００１】
本発明は、カレンダーに関し、例えば先頭位置にあるカレンダー用紙を１日ごとに取り除くカレンダーに関するものである。
【背景技術】
【０００２】
この技術に関連する従来のカレンダーが図４に記載されている。図４に示すように、カレンダー１は、暦を示すカレンダー用紙１２が複数枚重ねて綴じられたカレンダー本体１０と、カレンダー本体１０の裏面に重ねられた台紙２０と、両端が折り曲げて形成された金属製の枠体３０と、枠体３０の一端側に取り付けられたひも状部材５０とを備えている。ひも状部材５０は、壁等の設置箇所に吊り下げるために使用されるものである。また、複数重ねられたカレンダー用紙１２と台紙２０は、枠体３０の内側に配置されて、２本のリベット２２によって束ねられている。そして、暦を変える場合には、先頭位置にあるカレンダー用紙１２をめくってはぎ取る。例えば、図４に示したカレンダー１では、１月５日と記載されたカレンダー用紙１２をめくって取り除くと、１月６日が記載されたカレンダー用紙がカレンダー１の先頭に現れる。この技術に関連するものとして、例えば、特許文献１には装飾性を増大させた日めくり式カレンダーが開示されている。
【０００３】
【特許文献１】特開２００１−１８０１５１号公報
【発明の開示】
【発明が解決しようとする課題】
【０００４】
しかしながら、図４に示した従来のカレンダー１は、枠体３０が金属で形成されているためにリサイクル性に乏しい、という問題が指摘されていた。また、従来のカレンダー１は、複数枚重ねられたカレンダー用紙１２と枠体３０がリベット２２によって束ねられている。このリベット２２によって束ねる作業は、非常に手間がかかる、という問題も指摘されていた。
【０００５】
本発明は上記のような問題に鑑みてなされたものであり、本発明が解決しようとする課題は、上述した種類のカレンダーにおいて、リサイクル性を良くすると共に、カレンダー用紙と枠体とを簡単に束ねることにある。
【課題を解決するための手段】
【０００６】
本発明は前記課題を解決するために、次の手段をとる。
まず、第１の発明は、複数枚のカレンダー用紙が重ねられたカレンダー本体と、該カレンダー本体の頭部を覆う枠体と、壁等の設置箇所に吊り下げるためのひも状部材とを備え、先頭位置にあるカレンダー用紙を１日ごとに取り除くカレンダーであって、前記カレンダー本体の頭部には、該カレンダー本体の厚さ方向に穿設された貫通孔が設けられており、前記枠体は、厚紙で形成されており、かつ前記カレンダー本体に穿設された貫通孔に対応する位置に形成された枠体孔部を有し、前記ひも状部材は、前記貫通孔及び前記枠体孔部を通して前記カレンダー本体と前記枠体を束ねていることを特徴とする。
この第１の発明によれば、カレンダーの枠体は厚紙で形成されている。このため、カレンダーを全部使用した後のリサイクル性を良くすることができる。また、複数枚重ねられたカレンダー用紙と枠体は、ひも状部材を貫通孔及び枠体孔部に通すことによって束ねられる。これにより、カレンダー用紙と枠体とを簡単に束ねることが可能となる。さらに、このひも状部材は、カレンダー用紙と枠体とを束ねる用途と、壁等の設置箇所に吊り下げる用途を兼ね備えたものである。すなわち、本発明に係るカレンダーは、従来のカレンダーのようにわざわざひも状部材を枠体に取り付ける作業を必要としないものである。
【０００７】
第２の発明によれば、カレンダー用紙に印刷されたインクにマイナスイオンを発生する物質が含まれている。このためカレンダーからマイナスイオンが発生し、健康に良いなどの効果が期待される。しかもマイナスイオンを発生する物質は、インクに含まれるために、インク原料に混練されるなどして容易に含まれ得る。
【０００８】
次に、第３の発明は、上記した第１または２の発明に係るカレンダーにおいて、前記ひも状部材は、前記カレンダー本体及び前記枠体から取り外し可能に配設されていることを特徴とする。
ここで、カレンダー用紙をカレンダー本体から何枚か取り除いていくと、先頭位置にあるカレンダー用紙と枠体との間にカレンダー用紙の一部が残ってしまう場合がある。第２の発明では、上記のようにカレンダー用紙と枠体との間にカレンダー用紙の一部が残った場合であっても、カレンダー本体及び枠体からひも状部材を取り外すことによって、残った一部のカレンダー用紙をきれいに取り除くことが可能となる。
【０００９】
次に、第４の発明は、上記した第１発明から第３の発明のいずれかに係るカレンダーにおいて、前記カレンダー本体に穿設された貫通孔及び前記枠体に形成された枠体孔部は、左右方向に並列して２箇所形成されており、前記ひも状部材は、前記貫通孔及び前記枠体孔部を通してたすき掛けされていることを特徴とする。
この第３の発明によれば、カレンダーを設置箇所に吊り下げた際に、カレンダーの重心位置が安定する。これにより、使用時のカレンダーをバランスよく吊り下げておくことができる。
【００１０】
次に、第５の発明は、上記した第１の発明から第４の発明のいずれかに係る日表カレンダーにおいて、前記枠体の上面には、該枠体の左右方向に形成された切欠部が設けられており、前記切欠部を折り曲げ線として、前記枠体を折り曲げることにより該枠体の上面が凸形状に変形可能な構成となっていることを特徴とする。
ここで、カレンダー用紙を何枚か取り除いていくと、先頭位置にあるカレンダー用紙と枠体との間に、取り除いたカレンダー用紙の分だけ隙間が生じる場合がある。第４の発明では、上記のような場合に、切欠部を折り曲げ線として枠体の上面を凸形状に変形させることで、カレンダー用紙と枠体との間の隙間を埋める。すなわち、カレンダーを設置箇所に吊り下げているとき、カレンダー用紙と枠体とがぴったり合う。これにより、使用時のカレンダーの見栄えを良くすることができる。
【００１１】
第６の発明によれば、  紙にインクを印刷して形成されるカレンダーであって、紙またはインクに、マイナスイオンを発生する物質が含まれている。このためカレンダーからマイナスイオンが発生し、健康に良いなどの効果が期待される。しかもマイナスイオンを発生する物質は、紙またはインクに含まれるために、紙に含浸あるいはインクに混練されるなどして容易に含まれ得る。
なおマイナスイオンを発生する物質を含むカレンダーは、従前知られておらず、本発明によれば、マイナスイオンを発生する物質を含むカレンダーを提供することができる。
【発明の効果】
【００１２】
本発明は上述した手段をとることにより、次の効果を得ることができる。
まず、第１の発明においては、カレンダーを使い終わった後におけるリサイクル性を良くすると共に、カレンダー用紙と枠体とを簡単に束ねることができる。
第２の発明においては、健康に良いなどの効果が期待される。
次に、第３の発明によれば、カレンダー本体に残った一部のカレンダー用紙をきれいに取り除くことができる。
次に、第４の発明によれば、使用時のカレンダーをバランスよく吊り下げておくことができる。
次に、第５の発明によれば、使用時のカレンダーの見栄えを良くすることができる。
第６の発明においては、健康に良いなどの効果が期待される。
【発明を実施するための最良の形態】
【００１３】
以下、本発明の最良の実施形態について図面を参照しながら詳細に説明する。図１は、本実施形態に係るカレンダー１を示す斜視図である。図２は、カレンダー本体１０から枠体３０とひも状部材５０を取り外した状態を示した分解斜視図である。このカレンダー１は、先頭位置にあるカレンダー用紙を１日ごとに１枚めくりはぎ取って使用する、いわゆる日めくりカレンダーである。カレンダー１は、例えば、オフィス、店頭、家庭などで、日にちや曜日などを確認するために用いられる。
【００１４】
図１に示すように、カレンダー１は、複数枚のカレンダー用紙が重ねられたカレンダー本体１０と、カレンダー本体１０の裏面に重ねられた台紙２０と、カレンダー本体の頭部１０ａを覆う枠体３０と、壁等の設置箇所に吊り下げるためのひも状部材５０とを備えている。
【００１５】
図２に示すように、カレンダー本体１０は、その頭部１０ａの上面で糊加工がされて複数枚のカレンダー用紙１２が重ねて綴じられたものである。このカレンダー用紙１２には、年、月、日にち、曜日、干支、社名、メモ枠などを適宜記載して使用することができる。カレンダー用紙への年、月等の印字はマイナスイオンを発生する物質を含んだ特殊インクを用いても良い。この場合、カレンダーを吊り下げたオフィスや家庭では人をゆったりとした気分にさせる、健康に良いなどの効果が期待できる。マイナスイオンを発生する物質としては、例えばトルマリン鉱石などを利用することができる。なお、カレンダー用紙は全ての古紙配合率１００％の再生紙を用いることが好ましい。これにより、環境に優しいカレンダーを実現することができる。
【００１６】
また、カレンダー本体の頭部１０ａには、カレンダー本体１０の厚さ方向に穿設された貫通孔１５が左右方向に並列して２箇所設けられている。貫通孔１５は、例えば、カレンダー本体の頭部１０ａに断面が丸型の部材で打ち抜くことによって形成することができる。貫通孔１５の孔の大きさは、後述するひも状部材５０の径の大きさに合わせて形成しておくことが望ましい。
【００１７】
枠体３０は、１枚の厚紙で形成されている。ここでいう「厚紙」とは、厚くはり合わせた紙、ボール紙などのことを指している。このように、枠体３０が厚紙によって形成されることでカレンダー１の使用後のリサイクル性を良くすることができる。なお、枠体３０を形成する厚紙の厚さは、１〜２ｍｍ程度であることが好ましい。また、図２に示すように、枠体３０の表面には、枠体３０の左右方向に切り欠いた部位として折曲部３７が２箇所形成されている。枠体３０は、折曲部３７を折り曲げ線として折り曲げられ、カレンダー本体の頭部１０ａの前面及び後面を覆っている。折曲部３７は、カレンダー本体１０の厚さに合わせて形成されているため、カレンダー本体１０を枠体３０はぴったりとフィットする。
【００１８】
また、枠体３０は、カレンダー本体１０に穿設された貫通孔１５に対応する位置に形成された枠体孔部３５を有している。ここでいう「貫通孔に対応する位置」とは、枠体３０がカレンダー本体の頭部１０ａの前面及び後面を覆ったときに、貫通孔１５の軸心と略同じになる位置という意味である。従って、図２に示すように、枠体孔部３５は、貫通孔１５と同様に左右方向に並列して２箇所の位置に形成されている。
【００１９】
図２に示すように、枠体３０の上面の中央には、枠体３０の左右方向に形成された切欠部３３が設けられている。そして、先頭位置にあるカレンダー用紙１２と枠体３０との間に、取り除いたカレンダー用紙の分だけ隙間が生じた場合、程度に応じて切欠部３３を折り曲げ線として枠体３０を折り曲げて枠体３０の上面を凸形状に変形させる。これにより、カレンダー１を壁などに吊り下げたときにカレンダー用紙１０と枠体３０がぴったり合うので、カレンダー１の見栄えを良くすることができる。
【００２０】
図１に示すように、ひも状部材５０は、貫通孔１５及び枠体孔部３５を通してカレンダー本体１０と枠体３０を束ねている。これにより、カレンダー本体１０と枠体３０とを簡単に束ねることが可能となる。また、ひも状部材５０は、壁等の設置箇所に吊り下げるために用いられる。つまり、本実施形態では、ひも状部材５０は、カレンダー本体１０と枠体３０を束ねる用途と壁等の設置箇所に吊り下げる用途を兼ね備えているものである。これにより、カレンダー本体１０や枠体３０に別途ひも状部材５０を取り付ける手間が省ける。
なお、ひも状部材５０としては、ビニールひも、綿ひも、紙ひもなどを使用することができる。この中でも、ひも状部材は紙ひもであることが好ましい。なぜなら、紙素材のものを使用すればリサイクル性が良くなるからである。
【００２１】
また、図２に示すように、ひも状部材５０は、有端に形成されている。そして、ひも状部材５０は、カレンダー本体１０の上方側で結ばれて、結ばれたひも状部材５０をほどくことによってカレンダー本体１０及び枠体３０から取り外し可能となっている。これにより、先頭位置にあるカレンダー用紙と枠体との間にカレンダー用紙の一部が残った場合であっても、この残った一部のカレンダー用紙をきれいに取り除くことが可能になる。
【００２２】
また、図１に示すように、ひも状部材５０は、左右方向に並列して２箇所ずつ形成された貫通孔１５及び枠体孔部３５を通してたすき掛けされている。これにより、カレンダーを設置箇所に吊り下げているとき、カレンダーの重心の位置が安定しやすくなる。従って、カレンダー１をバランスよく吊り下げておくことができる。
【００２３】
以上説明したように、本実施形態に係るカレンダー１によれば、枠体３０を厚紙で形成することでリサイクル性が良くなる。また、カレンダー本体１０に穿設された貫通孔１５及び枠体３０に形成された枠体孔部３５にひも状部材５０を通してカレンダー本体１０及び枠体３０を束ねることで、カレンダー本体１０と枠体３０とを簡単に束ねることが可能になる。
【００２４】
本発明は上記実施の形態の構成に限定されることはなく、その他種々の形態で実施ができるものである。
（１）例えば、上記実施形態では、カレンダー本体１０は、その頭部１０ａの上面で糊加工をして複数枚のカレンダー用紙１２を重ねて綴じた構成の例を示したが、この構成に限定されるものではない。すなわち、カレンダー本体１０は、複数枚のカレンダー用紙１２を綴じないで重ねる構成であってもいよい。
（２）また、図３に示すように、カレンダー用紙１２には、貫通孔１５の周囲に切込みを形成した切込部１８を設けてもよい。この場合、先頭位置にあるカレンダー用紙１２を簡単に取り除きやすくなる。
（３）また、上記実施形態では、インクにマイナスイオンを発生する物質が含まれていた。しかし厚紙で形成された枠体に、マイナスイオンを発生する物質が含浸等によって含まれる形態等であっても良い。
（４）厚紙によって形成される枠体に、温度や湿度によって色が変化する物質を印刷して温度計や湿度計を設けたカレンダーであっても良い。
（５）厚紙によって形成された枠体に、切り込み等を入れてペン差し部を形成し、そのペン差し部にペンを保持させることのできるカレンダーであっても良い。
（６）また、上記実施形態は、先頭位置にあるカレンダー用紙を１日ごとに取り除く日めくりカレンダーに関するものであった。しかし月毎、年毎などを表示する文字を紙にインクで印刷して形成されるカレンダーであって、紙またはインクにマイナスイオンを発生する物質が含まれているカレンダーであっても良い。
【図面の簡単な説明】
【００２５】
【図１】本実施形態に係るカレンダーを示す斜視図である。
【図２】カレンダー本体から枠体とひも状部材を取り外した状態を示す分解斜視図である。
【図３】他実施形態におけるカレンダー用紙を示す正面図である。
【図４】従来のカレンダーを示す斜視図である。
【符号の説明】
【００２６】
１    カレンダー
１０  カレンダー本体
１０ａ      （カレンダー本体の）頭部
１２  カレンダー用紙
１５  貫通孔
２０  台紙
３０  枠体
３３  切欠部
３５  枠体孔部
５０  ひも状部材
【図１】
2007196429.tif 000003
【図２】
2007196429.tif 000004
【図３】
2007196429.tif 000005
【図４】
2007196429.tif 000006